(57)【要約】【課題】パンツとしてもおむつとしても利用可能であり、おむつとして使用する際にも切り離し作業を容易に行うことができる使い捨てパンツを提供する。【解決手段】使い捨てパンツ１は前腹部２と後背部３および、前腹部２と後背部３間に連なって設けられる股部４とを備える。前腹部２における股部４が連なる部分の左右両側に前腹部２を破断するための左右の破断部１７ａ，１７ｂが形成される。左右の破断部１７ａ，１７ｂ間の中間相当領域に相当する前股部４ａ上に付着部２３が設けられると共に、前腹部２における左右の破断部１７ａ，１７ｂよりも左右方向外方側の部分に左右の付着片２２ａ，２２ｂが設けられる。左右の破断部１７ａ，１７ｂ位置に対応して、前腹部２の内外を連通状とする開口部１７ｃが形成され、左右の付着片２２ａ，２２ｂに、開口部１７ｃを通じて付着部２３に着脱される付着部２７，２８がそれぞれ設けられる。【選択図】図２
2006141844.tif 000002
【特許請求の範囲】
【請求項１】
略環状に連なる前腹部および後背部と、その前腹部および後背部間に連なって設けられる股部とを備え、前記股部に吸収体が設けられ、前記前腹部における前記股部が連なる部分の左右両側に前記前腹部を破断するための左右の破断部が形成された使い捨てパンツであって、
前記左右の破断部の間に相当する前記前腹部の中間相当領域に、第１付着部が設けられると共に、前記前腹部における前記左右の破断部よりも左右方向外方側の部分に接合された左右の付着片が設けられ、
前記左右の付着片に、前記第１付着部に対して着脱される第２付着部がそれぞれ設けられ、
前記前腹部に形成された前記左右の破断部位置に対応して、前腹部の内外を連通状とする開口部が形成されたことを特徴とする使い捨てパンツ。
【請求項２】
請求項１に記載の使い捨てパンツにおいて、
前記第１付着部と前記左右の付着片の前記第２付着部とが前記開口部を通じて着脱自在とされたことを特徴とする使い捨てパンツ。
【請求項３】
請求項２に記載の使い捨てパンツにおいて、
前記前腹部の前記中間相当領域における外面側に、前記左右の付着片の前記第２付着部が着脱可能な第３付着部が設けられていることを特徴とする使い捨てパンツ。
【請求項４】
略環状に連なる前腹部および後背部と、その前腹部および後背部間に連なって設けられる股部とを備え、前記股部に吸収体を設け、前記前腹部における前記股部が連なる部分の左右両側に前記前腹部を破断するための左右の破断部を形成し、該左右の破断部の間に相当する前記前腹部の中間相当領域に第１付着部を設けると共に、前記前腹部における前記左右の破断部よりも左右方向外方側の部分に接合された左右の付着片を設け、該左右の付着片に、前記第１付着部に対して着脱される第２付着部をそれぞれ設けた使い捨てパンツにおける付着片の着脱方法であって、
前記前腹部に形成した前記左右の破断部位置に対応して、前腹部の内外を連通状とする開口部を形成し、
前記中間相当領域における前記開口部の内側に位置した部分に前記第１付着部を設け、前記開口部の外側より前記左右の付着片に設けた前記第２付着部を前記開口部を通じて前記第１付着部に着脱自在に係合させることを特徴とする使い捨てパンツにおける付着片の着脱方法。
【発明の詳細な説明】
【技術分野】
【０００１】
本発明は、パンツとしてもおむつとしても利用可能な使い捨てパンツおよび使い捨てパンツにおける付着片の着脱方法に関する。
【背景技術】
【０００２】
今日、腰回り、胴回りおよび脚回りに伸縮性を持たせて着用者の身体にフィットさせる使い捨てパンツの需要が高まってきており、子供用としても大人用としても利用されることが多くなってきている。
【０００３】
このような使い捨てパンツは、前記腰回り等の伸縮性によって、着用時等の上げ下げがしやすいため、特に高齢者の排泄介護の際には、はかせたり脱がせたりの作業がしやすく好まれている。
【０００４】
しかしながら、このような使い捨てパンツは、排泄物で汚れてしまった場合に新しい使い捨てパンツと交換するに際して、上に着用している衣服を脱がす必要があるという不便さがあった。
【０００５】
そこで、必要に応じてパンツとしてもおむつとしても利用可能な使い捨てパンツが提案されている（例えば、特許文献１参照。）。
【０００６】
この使い捨てパンツは、前身頃の左右両側に切断線を設け、その切断線の部分で前身頃を切り離し可能とすると共に、前身頃および後身頃の左右の接合部に接合された付着片を設けている。そして、切断線により前身頃を切り離した際に、左右の付着片により前身頃と後身頃との締結を行うようになっている。
【０００７】
【特許文献１】特開平５−３１７３５６号公報
【発明の開示】
【発明が解決しようとする課題】
【０００８】
しかしながら、前記特許文献１に記載の使い捨てパンツにおいては、切断線で切り離すに際して、前身頃における高さ方向全長にわたる長さを有しているため、切り離し長さが長くなり、切り離し難く、切り離し作業が面倒になるという問題があった。
【０００９】
そこで、本発明の解決すべき課題は、パンツとしてもおむつとしても利用可能であり、おむつとして使用する際にも切り離し作業を容易に行うことができる使い捨てパンツおよびその使い捨てパンツにおける付着片の着脱方法を提供することを目的とする。
【課題を解決するための手段】
【００１０】
上記の課題を解決するため、請求項１の発明では、略環状に連なる前腹部および後背部と、その前腹部および後背部間に連なって設けられる股部とを備え、前記股部に吸収体が設けられ、前記前腹部における前記股部が連なる部分の左右両側に前記前腹部を破断するための左右の破断部が形成された使い捨てパンツであって、前記左右の破断部の間に相当する前記前腹部の中間相当領域に、第１付着部が設けられると共に、前記前腹部における前記左右の破断部よりも左右方向外方側の部分に接合された左右の付着片が設けられ、前記左右の付着片に、前記第１付着部に対して着脱される第２付着部がそれぞれ設けられ、前記前腹部に形成された前記左右の破断部位置に対応して、前腹部の内外を連通状とする開口部が形成された構造としている。
【００１１】
また、請求項２の発明では、請求項１の発明に係る使い捨てパンツにおいて、前記第１付着部と前記左右の付着片の前記第２付着部とが前記開口部を通じて着脱自在とされた構造としている。
【００１２】
さらに、請求項３の発明では、請求項２の発明に係る使い捨てパンツにおいて、前記前腹部の前記中間相当領域における外面側に、前記左右の付着片の前記第２付着部が着脱可能な第３付着部が設けられている構造としている。
【００１３】
また、請求項４の発明では、略環状に連なる前腹部および後背部と、その前腹部および後背部間に連なって設けられる股部とを備え、前記股部に吸収体を設け、前記前腹部における前記股部が連なる部分の左右両側に前記前腹部を破断するための左右の破断部を形成し、該左右の破断部の間に相当する前記前腹部の中間相当領域に第１付着部を設けると共に、前記前腹部における前記左右の破断部よりも左右方向外方側の部分に接合された左右の付着片を設け、該左右の付着片に、前記第１付着部に対して着脱される第２付着部をそれぞれ設けた使い捨てパンツにおける付着片の着脱方法であって、前記前腹部に形成した前記左右の破断部位置に対応して、前腹部の内外を連通状とする開口部を形成し、前記中間相当領域における前記開口部の内側に位置した部分に前記第１付着部を設け、前記開口部の外側より前記左右の付着片に設けた前記第２付着部を前記開口部を通じて前記第１付着部に着脱自在に係合させる方法としている。
【発明の効果】
【００１４】
請求項１に記載の発明に係る使い捨てパンツによれば、パンツ、おむつの両機能を併有しているため、着用時等の上げ下げが容易である。
【００１５】
また、前腹部に形成された左右の破断部位置に対応して、前腹部の内外を連通状とする開口部が形成された構造としているため、破断部における切り離し長さが開口部によって短くなり、切り離しやすく、おむつとして使用する際の切り離し作業を容易に行うことができる。
【００１６】
さらに、開口部を目安として切り離し用の破断部位置が容易に視認でき、破断部位置が分かり易いという利点もある。
【００１７】
また、請求項２に記載の発明によれば、第１付着部と左右の付着片の第２付着部とが開口部を通じて着脱自在とされた構造としているため、破断部の切り離し前後において、第１付着部と第２付着部との開口部を通じた係合により、開口部周縁部における前腹部の浮き上がりが有効に防止できると共に、各付着片の第２付着部の止め位置も容易に視認できる利点がある。
【００１８】
さらに、請求項３に記載の発明によれば、前腹部の中間相当領域における外面側に、左右の付着片の第２付着部が着脱可能な第３付着部が設けられている構造としているため、左右の各付着片の第２付着部と、第１付着部もしくは第３付着部に対する選択的な係合によりウエスト回りの調整も容易に行うことができ、着用者の体形に応じたフィット性の向上が図れる利点がある。
【００１９】
請求項４に記載の発明に係る使い捨てパンツにおける付着片の着脱方法によれば、前腹部に形成した左右の破断部位置に対応して、前腹部の内外を連通状とする開口部を形成し、中間相当領域における開口部の内側に位置した部分に第１付着部を設け、開口部の外側より左右の付着片に設けた第２付着部を開口部を通じて第１付着部に着脱自在に係合させる方法としているため、パンツ、おむつの両機能を併有しているため、着用時等の上げ下げが容易になると共に、破断部における切り離し長さが開口部によって短くなり、切り離しやすく、おむつとして使用する際の切り離し作業を容易に行うことができる。
【００２０】
また、開口部を目安として切り離し用の破断部位置が容易に視認でき、破断部位置が分かり易いという利点もある。
【発明を実施するための最良の形態】
【００２１】
＜第１の実施形態＞
＜概略説明＞
図１ないし図７を参照して、本発明の実施形態に係る使い捨てパンツ１について説明する。この使い捨てパンツ１は、図１ないし図７に示すように、略環状に連なる前腹部２および後背部３と、その前腹部２および後背部３間に連なって設けられる股部４とを備えた構成とされ、パンツとしてもおむつとしても利用可能となっている。なお、この使い捨てパンツ１の説明において、左および右とは着用者から見て左手側および右手側を指すものとする。
【００２２】
前腹部２および後背部３とは、この使い捨てパンツ１における主に着用者の前腹部および後背部に面する部分を指す。前腹部２の左右の縁部と後背部３の左右の縁部とは互いに接合され、これによって前腹部２と後背部３とは略環状に連なっている。このため、使い捨てパンツ１の左右の縁部には、前腹部２の左右の縁部と後背部３の左右の縁部とを接合する左サイド接合部１１ａおよび右サイド接合部１１ｂが形成されている。このサイド接合部１１ａ，１１ｂでの接合は、接着剤、例えばホットメルト接着剤による接着と超音波溶着（あるいは、加熱溶着）とのいずれか一方、またはその両方の併用により行われる。
【００２３】
股部４とは、この使い捨てパンツ１における主に着用者の股部に面する部分を指し、その前股部４ａおよび後股部４ｂがそれぞれ前腹部２および後背部３にそれぞれ連なっている。本実施形態では、股部４の前股部４ａおよび後股部４ｂが前腹部２および後背部３にそれぞれ接着剤、例えばホットメルト接着剤により接合されている。なお、変形例として、股部４を後背部３と連続した部材により一体に形成してもよい。
【００２４】
このように略環状に連なった前腹部２および後背部３の上縁部１２，１３によりウエスト開口部Ｑが形成されている。前腹部２の左前腹部２ａの下縁部１４ａ、後背部３の左斜め下の傾斜状の縁部１５ａ、および股部４の左縁部１６ａにより左脚開口部Ｒａが形成されている。前腹部２の右前腹部２ｂの下縁部１４ｂ、後背部３の右斜め下の傾斜状の縁部１５ｂ、および股部４の右縁部１６ｂにより右脚開口部Ｒｂが形成されている。
【００２５】
＜前腹部＞
前腹部２は、図１に示すように、全体形状としては正面視略横長矩形状であり、左前腹部２ａ、右前腹部２ｂ、およびそれらの中間に位置する中前腹部２ｃを備えている。中前腹部２ｃは本発明の中間相当領域に相当している。左前腹部２ａと中前腹部２ｃとの間には、前腹部２を上下に縦断する左破断部１７ａが形成され、右前腹部２ｂと中前腹部２ｃとの間には、前腹部２を上下に縦断する右破断部１７ｂが形成されている。中前腹部２ｃには、図６に示すように、股部４の前股部４ａとの接合部分１８が形成される。接合部分１８での接合は、接着剤、例えばホットメルト接着剤を用いて行われる。破断部１７ａ，１７ｂは、本実施形態ではミシン目により形成され、この破断部１７ａ，１７ｂを破断することにより、図２ないし図５に示すように、前腹部２を破断部１７ａ，１７ｂの部分で切り離せるようになっている。
【００２６】
特に、本実施形態においては、これら左右の破断部１７ａ，１７ｂ位置に対応して、前腹部２の内外を連通状とするくり抜き状の開口部１７ｃがそれぞれ形成されている。例えば、各破断部１７ａ，１７ｂの長さ方向に沿って細長矩形状の開口部１７ｃがそれぞれ２個所に形成された構造とされている。
【００２７】
左前腹部２ａおよび右前腹部２ｂの上縁部１２ａ，１２ｂには、ウエスト用弾性部材１９ａ，１９ｂが左右方向に伸張された状態で取り付けられている。左前腹部２ａおよび右前腹部２ｂの下縁部１４ａ，１４ｂには脚用弾性部材２０ａ，２０ｂが左右方向に伸張された状態で取り付けられている。左前腹部２ａおよび右前腹部２ｂの上縁部１２ａ，１２ｂと下縁部１４ａ，１４ｂとの間の部分には、ボディ用弾性部材２１ａ，２１ｂが左右方向に伸張された状態で取り付けられている。これらの弾性部材１９ａ，１９ｂ，２０ａ，２０ｂ，２１ａ，２１ｂの収縮・伸張により前腹部２（特に、左前腹部２ａおよび右前腹部２ｂ）が着用者の腹部に沿うように柔らかくフィットすることができる。
【００２８】
このような前腹部２は、図６に示すように、肌面側の内装シート５７と、外側の外装シート５８との間に弾性部材１９ａ，１９ｂ，２０ａ，２０ｂ，２１ａ，２１ｂを挟み込んで構成されている。
【００２９】
左前腹部２ａおよび右前腹部２ｂの外面側における中前腹部２ｃ側のそれぞれの端部には、略シート状の左付着片２２ａおよび右付着片２２ｂが接着剤、例えばホットメルト接着剤により接合されている。この付着片２２ａ，２２ｂは、破断部１７ａ，１７ｂを破断した際に、このパンツ１の止着のために用いられるものである。
【００３０】
中前腹部２ｃが配置される前記中間相当領域に対応した位置、即ち股部４の前股部４ａにおける外面側、いわゆるバックシート４２（図６参照）外面側における前記各開口部１７ｃに対応した位置に、適宜幅を有する細長矩形状の第１付着部に相当する付着部２３がそれぞれ設けられている。この際、各付着部２３は各開口部１７ｃの領域をカバーすべく、各開口部１７ｃよりも広い面積を有した構造とされている。
【００３１】
また、本実施形態においては、左右の破断部１７ａ，１７ｂ間に位置した中前腹部２ｃにおける外面側にも、適宜幅を有する細長矩形状の第３付着部に相当する付着部２３ａが設けられた構造とされている。
【００３２】
前記付着片２２ａ，２２ｂは、略縦長帯状の本体部２４と、その本体部２４から自由端側に向けて延設された上下２片の張出し部２５，２６とをそれぞれ有している。本体部２４の左右方向外方側端部は、図６に示すように、接着剤６６、例えばホットメルト接着剤により、左前腹部２ａおよび右前腹部２ｂにおける破断部１７ａ，１７ｂ側の端部に接合されている。
【００３３】
付着片２２ａ，２２ｂの各張出し部２５，２６端部における中前腹部２ｃに面する側の面（内面側）には、付着部２７，２８がそれぞれ設けられている。これらの付着部２７，２８は、第２付着部に相当するものであり、前股部４ａに設けられた付着部２３に対して各開口部１７ｃを通じて着脱自在に付着されるように構成されている。また、各付着部２７，２８は付着部２３ａに対しても着脱自在に付着可能な構成とされている。
【００３４】
前記各付着部２３，２３ａの具体例としては、表面に微細なループ構造が密に形成された不織布、織布、編み物等を有するループ材が考えられ、付着部２７，２８の具体例としては、そのループ材に着脱自在に係合する微細なフック構造が表面に密に形成されたフック材が考えられる。さらに具体的には、付着部２３，２３ａとしては、例えば、面ファスナーのループ材として好適に用いられる不織布、織布等を表面に有するプラスチックフィルム複合材が用いられる。また、付着部２７，２８としては、面ファスナーのフック材として好適に用いられる表面に密に形成されたピンを有するプラスチックフィルムが用いられる。あるいは、ループ材を別部材として前股部４ａや中前腹部２ｃに接着剤、例えばホットメルト接着剤等により貼着するのではなく、前股部４ａや中前腹部２ｃの外面側を表面処理してループ材（付着部２３，２３ａ）として機能させるようにしてもよい。
【００３５】
また、付着部２３，２３ａの他の具体例としては、粘着剤との繰り返し剥離性を有するように表面処理、例えばピーロイル加工されたプラスチックフィルム等が考えられ、付着部２７，２８の他の具体例としては、繰り返し利用可能な接着剤等が考えられる。
【００３６】
なお、前記の中間相当領域における付着部２３，２３ａおよび付着片２２ａ，２２ｂの付着部２７，２８の前記２つの具体例において、付着部２３，２３ａ側の構成と付着部２７，２８側の構成を入れ替えてもよい。
【００３７】
また、付着片２２ａ，２２ｂの各張出し部２５，２６の先端部は、付着片２２ａ，２２ｂをつまみやすくするために、つまみ部３１（図３や図４参照）となっている。このつまみ部３１には、付着部２７，２８は設けられていない。
【００３８】
このような構成により、右付着片２２ｂの張出し部２５，２６をつまんで右付着片２２ｂの付着部２７，２８を付着部２３から引き剥がすと共に、右破断部１７ｂを破断、即ち切り離し、この状態で張出し部２５，２６を右方向外方に引っ張ると、図２に示すように、右前腹部２ｂが右付着片２２ｂと一体となって右側に展開する。同様に、左付着片２２ａの張出し部２５，２６をつまんで左付着片２２ａの付着部２７，２８を付着部２３から引き剥がすと共に、左破断部１７ａを切り離し、この状態で張出し部２５，２６を左方向外方に引っ張ると、図３に示すように、左前腹部２ａが左付着片２２ａと一体となって左側に展開する。このとき、中前腹部２ｃは股部４と接合された状態に保たれており、前股部４ａの外側に残ることになる。
【００３９】
このため、この使い捨てパンツ１は、図１に示すように、破断部１７ａ，１７ｂを破断する前の製品出荷時の状態では、前腹部２と股部４とが接合部分１８によって固定されているため、パンツとして機能し、付着片２２ａ，２２ｂ等の開閉手段のない通常の使い捨てパンツと同様に容易に上げ下げできるようになっている。また、この状態では、仮に付着片２２ａ，２２ｂと付着部２３との係合が外れても、前腹部２と股部４とが別々になってしまうことがない。
【００４０】
また、この使い捨てパンツ１をパンツ状態で着用させている場合において、後述する吸収体４３が排泄物を吸収、保持した場合には、付着片２２ａ，２２ｂの係合を解除して、破断部１７ａ，１７ｂを切り離すことにより展開して、パンツ１を着用者から容易に取り除くことができる。この場合、着用者の衣服を脱がさなくとも、パンツ１の取外しができる。
【００４１】
また、付着片２２ａ，２２ｂの係合を解除して破断部１７ａ，１７ｂを切り離し、前腹部２を展開して、パンツ１の内部の汚染状況を確認した後、付着片２２ａ，２２ｂを付着部２３に係合させて、パンツ１を元のパンツ状態に戻すことができる。また、このパンツ１と尿取りパット等の補助パットとを併用しているときにも、付着片２２ａ，２２ｂを着脱して補助パットの交換等を容易に行うことができる。
【００４２】
また、着用させる前に、パンツ１を図４に示す状態に展開しておいて着用者の臀部にあてがって、図３、図２、図１の順に閉じてゆくことにより、このパンツ１を通常の使い捨ておむつのように利用することもできる。この場合、着用者の衣服を脱がさなくとも、パンツ１の着用および取り外しができる。
【００４３】
さらに、本実施形態においては、股部４における前股部４ａの横幅方向領域内に位置して、中前腹部２ｃが備えられた構造とされているため、左右の付着片２２ａ，２２ｂを左右に展開した状態から閉じる作業を行う場合、前股部４ａを着用者の前腹部位に当てがっておいて、その上側で左右の付着片２２ａ，２２ｂを前股部４ａの付着部２３もしくは中前腹部２ｃの付着部２３ａに止着する作業を行うことができ、開閉作業をスムーズに行うことができる。
【００４４】
＜股部＞
股部４は、図４に示すように、全体形状としては展開すると前後方向に延びる略帯状の形態を有し、前股部４ａ、後股部４ｂ、およびそれらの中間に位置する中股部４ｃを備え、主に中股部４ｃを中心として着用者の股間部にあてがわれる。前股部４ａは、図３、図５および図６に示すように、中前腹部２ｃの内面側に重ね合わされた状態で接合部分１８によって中前腹部２ｃと接合されている。後股部４ｂは、図４に示すように、後背部３の内面側に重ね合わされた状態で後背部３と接着固定されている。このような股部４の左縁部１６ａおよび右縁部１６ｂには、脚用弾性部材４０ａ，４０ｂが縁部１６ａ，１６ｂの延設方向に伸張された状態で取り付けられている。
【００４５】
股部４は、図７にも示すように、透液性のトップシート４１と不透液性のバックシート４２との間に、吸収体４３を挟み込んで構成されている。吸収体４３は、所定の横幅を有し、中股部４ｃを中心にして前後方向に帯状に広がっている。股部４の内面側における吸収体４３の左右両側には、股部４の延設方向に沿って延びる起立部４４ａ，４４ｂが設けられている。
【００４６】
例えば、トップシート４１は透液性の不織布等により構成され、バックシート４２は撥水性不織布等により構成される。また、吸収体４３は、例えば、粉砕したパルプ繊維やセルロース繊維等の親水性繊維集合層に粒状の高分子吸収体を混合した塊をティッシュペーパーなどの紙シートまたは透液性不織布シート等の被覆シートで包み、所定形状に成形されたものである。
【００４７】
トップシート４１およびバックシート４２の吸収体４３と重ならない部分は、互いに対向する面同士が接着剤、例えばホットメルト接着剤によって互いに接合されている。より好ましくは、図７に示すように、トップシート４１の横幅は、吸収体４３の肌面側を覆い、かつバックシート４２の横幅よりも若干狭く設定され、トップシート４１の吸収体４３を超えて前後左右に張り出した部分が、接着剤、例えばホットメルト接着剤によりバックシート４２と接合されている。バックシート４２におけるトップシート４１の左右両側に張り出した部分の肌面側には、起立部４４ａ，４４ｂを構成する左右のサイドシート４５ａ，４５ｂが接着剤、例えばホットメルト接着剤によって接合されている。
【００４８】
また、サイドシート４５ａ，４５ｂの前後方向の両端縁は、股部４の前後方向の両端縁に接着剤６０、例えばホットメルト接着剤により接合されている。サイドシート４５ａ，４５ｂの左右方向内方側縁部は、前後方向に伸びる弾性部材４６を包み込むようにして、封止部４７にて熱溶着（または超音波溶着）等により固定されている。起立部４４ａ，４４ｂは、弾性部材４６の収縮力によりその左右方向内方側縁部が縮められ、これによって図７に示すように着用者の肌に押し付けられる方向に起立する。
【００４９】
また、本実施形態では、図４に示すように、股部４における前腹部２および後背部３の腰回り部３ａと重なる重複部分において、左右の縁部を傾斜辺４８ａ，４８ｂ，４９ａ，４９ｂとし、その横幅を前後方向の端縁側に向けて徐々に減少させている。
【００５０】
この傾斜辺４８ａ，４８ｂにより、使い捨てパンツ１を上げ下げする際に、前股部２ａが引っ掛かってめくれたり、折れ曲がったり、着用者の肌に影響を及ぼすのを防止し、スムーズに上げ下げすることができる。
【００５１】
また、通常、後背部３と股部４とが重なる領域については、後背部３の収縮力が弱まる傾向にあるが、前記傾斜辺４９ａ，４９ｂによるトリム領域を形成することにより、後背部３の伸縮部分の面積が後背部３の上側に向けて徐々に増えてゆき、これによって後背部３が着用者の後背部にフィットしやすくなる。
【００５２】
なお、股部４の構成の変形例として、吸収体４３をシート４１，４２の間に挟み込むのではなく、吸収体４３をシート４２の肌面側に貼着し、シート４１を省略する構成としてもよい。
【００５３】
＜後背部＞
後背部３は、図２ないし図５に示すように、展開すると略矩形の左右下側の角を略斜めに切り落としたような形態を有し、着用者の背面側の腰回り部から臀部にかけた部分にあてがわれる。このため、この後背部３は、着用者の背面側の腰回り部に主に位置する平面視略横長帯状の腰回り部３ａと、その腰回り部３ａの下側に連なり着用者の臀部に主に位置する平面視略台形状の臀部３ｂとを備えている。腰回り部３ａの上縁部１３には、ウエスト用弾性部材５１が左右方向に伸張された状態で取り付けられており、腰回り部３ａのそれ以外の領域には、ボディ用弾性部材５２が左右方向に伸張された状態で取り付けられている。後背部３の左斜め下の傾斜状の縁部１５ａには、脚用弾性部材５３ａが縁部１５ａに沿って伸張された状態で取り付けられており、後背部３の右斜め下の傾斜状の縁部１５ｂには、脚用弾性部材５３ｂが縁部１５ｂに沿って伸張された状態で取り付けられている。これらの弾性部材５１，５２，５３ａ，５３ｂの収縮、伸張により後背部３が着用者の後背部および臀部にフィットしやすくなっている。
【００５４】
特に、後背部３の臀部３ｂは、下側に向けて横幅が徐々に狭くなる構成とされていると共に、その左右の傾斜状の縁部１５ａ，１５ｂに脚用弾性部材５３ａ，５３ｂが設けられているため、脚用弾性部材５３ａ，５３ｂの収縮力により縁部１５ａ，１５ｂが縮められると、臀部３ｂが着用者の臀部にフィットしやすくなっている。
【００５５】
なお、脚用弾性部材５３ａ，５３ｂは、臀部３ｂの左右の傾斜状の縁部１５ａ，１５ｂおよび下縁部１５ｃに沿って連続的に臀部３ｂに取り付けられた後、少なくとも股部４の吸収体４３と重なる部分５４（図５参照）について、弱化処理が施されている。弱化処理とは、その部分５４の弾性部材を切断したり、収縮力を弱める処理を行う等により、ノーテンション状態とすることである。これによって、脚用弾性部材５３ａ，５３ｂの収縮力によって吸収体４３に不所望な歪み等が生じ、その吸収機能が低下するのが防止される。
【００５６】
＜その他の構成および各部の材料等＞
なお、前腹部２に設ける左右の弾性部材１９ａ，１９ｂ、弾性部材２０ａ，２０ｂおよび弾性部材２１ａ，２１ｂについては、前記脚用弾性部材５３ａ，５３ｂの場合と同様に、弾性部材１９ａ，１９ｂ，２０ａ，２０ｂ，２１ａ，２１ｂを中前腹部２ｃを介して左右方向に連続的に前腹部２に設けた後、弾性部材１９ａ，１９ｂ，２０ａ，２０ｂ，２１ａ，２１ｂの付着片２２ａ，２２ｂ対応位置や中前腹部２ｃに位置する部分について、弱化処理を施すのが好ましい。
【００５７】
また、付着片２２ａ，２２ｂの材料構成としては、不織布、織布、編布、プラスチップ材から適宜選択できる。中でも、スパンボンド法、エアースルー法、ポイントボンド法、メルトブロー法およびエアレイド法のうちの１つまたは複数の製法の組み合わせによって製造される不織布が好ましい。さらに、目付３０〜１００ｇ／ｍ2で、スパンボンド法若しくは、スパンボンド法とメルトブロー法とを組み合わせたＳＭＳ法により製造された不織布が強度の点から好ましい。最も好ましいのは、目付５０〜８５ｇ／ｍ2でスパンボンド法により製造された不織布である。材質としては、ポリプロピレン、ポリエチレン、ポリエステル、ポリアミド等の合成繊維、パルプ、絹等の天然繊維から適宜選択できるが、好ましくはポリプロピレン、ポリエチレン、ポリエステルといった合成繊維が利用でき、中でもポリプロピレン、ポリエステル繊維を主成分とするものは強度があり、好適である。最も好ましいのは、ポリエステル繊維である。
【００５８】
また、弾性部材１９ａ，１９ｂ，２０ａ，２０ｂ，２１ａ，２１ｂ，４０ａ，４０ｂ，４６，５３ａ，５３ｂとしては、通常使い捨てパンツに用いられる弾性伸縮材料（ポリウレタン糸、ポリウレタンフィルム、天然ゴム等）が用いられ、伸張状態でホットメルト接着剤、熱溶着、超音波溶着などの貼着手段によりパンツ１の所定部位に貼着される。
【００５９】
以上のように、本実施形態に係る使い捨てパンツ１は、パンツ、おむつの両機能を併有しているため、着用時等の上げ下げが容易である。
【００６０】
また、前腹部２に形成された左右の破断部１７ａ，１７ｂ位置に対応して、前腹部２の内外を連通状とする開口部１７ｃがそれぞれ形成された構造とされているため、破断部１７ａ，１７ｂにおける切り離しに際して、各破断部１７ａ，１７ｂの切り離し長さが開口部１７ｃによって短くなり、切り離しやすく、おむつとして使用する際の切り離し作業を容易に行うことができ、使い捨てパンツ１の開放作業が容易となる。
【００６１】
さらに、開口部１７ｃを目安として切り離し用の破断部１７ａ，１７ｂ位置が容易に視認でき、破断部１７ａ，１７ｂの切り離しに際して破断部１７ａ，１７ｂ位置が分かり易く、この点からも作業性に優れる利点がある。
【００６２】
また、左右の付着片２２ａ，２２ｂの付着部２７，２８と各付着部２３とが各開口部１７ｃを通じて着脱自在とされた構造としているため、破断部１７ａ，１７ｂの切り離し前や切り離し後において、付着部２７，２８と各付着部２３との開口部１７ｃを通じた係合により、前腹部２の開口部１７ｃ周縁部が押さえられ、開口部１７ｃ周縁部における中前腹部２ｃの浮き上がりが有効に防止できると共に、各付着部２７，２８の付着部２３に対するの止着位置も容易に視認できる利点がある。
【００６３】
さらに、本実施形態においては、中前腹部２ｃの外面側にも付着部２３ａが設けられているため、左右の各付着片２２ａ，２２ｂの付着部２７，２８と、付着部２３もしくは付着部２３ａに対する選択的な係合によりウエスト回りの調整も容易に行うことができ、着用者の体形に応じたフィット性の向上が図れる利点がある。
【００６４】
＜製造工程＞
次に、図８を参照して、使い捨てパンツ１の製造工程について説明する。すなわち、本実施形態では、図８に示すように、パンツ１を腰回りの左右の縁部で切断して展開したような構成の中間体７６を、パンツ１の左右方向に複数連続的に連なった状態で形成する。この中間体７６は、一方向に連続的に連なる前腹基材７７と、同じく一方向に連続的に連なる後背基材７８と、その前腹基材７７および後背基材７８の各単位区間Ｓごとに設けられた股部４とを備えて構成されている。そして、各単位区間Ｓごとに中間体７６およびパンツ１の構造が形成さてゆくように構成されている。
【００６５】
この際、股部形成工程で、股部４のバックシート４２における所定の位置に、それぞれ付着部２３を予め貼着している。また、前腹基材形成工程で、前腹基材７７における所定の位置に、各破断部１７ａ，１７ｂを形成すると共に開口部１７ｃを形成している。そして、開口部１７ｃ位置に各付着片２２ａ，２２ｂの各付着部２７，２８が対応配置されるように、各付着片２２ａ，２２ｂを予め貼着している。さらには、付着部２３ａを予め貼着している。
【００６６】
そして、搬送方向Ｐに沿って順次供給されてくる前腹基材７７と後背基材７８にまたがって股部４が供給されると共に貼着される。この際、各付着部２７，２８と各付着部２３とが開口部１７ｃを通じて着脱自在に係合する。この状態の中間体７６を図示しない所定の二つ折り工程で、その搬送方向Ｐに沿った折り返し部７６ａにて二つ折りにする。
【００６７】
続いて、その二つ折りにした中間体７６の前腹部２（前面側部分）と後背部３（背面側部分）とを、腰回りの左右のサイド接合部分１１ａ，１１ｂにて互いに接合し、続いて、左右方向に連なった状態で作成された各パンツ１を図示しない切断装置により切断する。
【００６８】
＜第２の実施形態＞
図９は第２の実施形態を示しており、前記第１の実施形態と同様構成部分は同一符号を付し、その説明を省略する。
【００６９】
即ち、第１の実施形態においては、左右の破断部１７ａ，１７ｂ位置に対応して、それぞれ上下に離隔した２個所に開口部１７ｃが形成された構造とされているが、本実施形態においては、それら２個所の前記各開口部１７ｃが互いに連続状とされたより長い細長状の開口部１７ｃが各破断部１７ａ，１７ｂ位置に対応して形成された構造とされている。
【００７０】
従って、本実施形態においても前述と同様の効果を奏すると共に、開口部１７ｃが連続状とされた１個所であるため、各破断部１７ａ，１７ｂの切り離し長さをより短く構成できると共に、構造の簡素化も図れる利点がある。
【００７１】
＜第３の実施形態＞
図１０は第３の実施形態を示しており、前記第２の実施形態と同様構成部分は同一符号を付し、その説明を省略する。
【００７２】
即ち、第１の実施形態や第２の実施形態においては、左右の破断部１７ａ，１７ｂ位置に対応して形成された開口部１７ｃを通じて、各付着片２２ａ，２２ｂの各付着部２７，２８が付着部２３に着脱自在に係合する構造とされているが、本実施形態においては、左右の破断部１７ａ，１７ｂ間に位置する中前腹部２ｃの外面側に第１付着部としての付着部２３ｂが設けられ、各付着片２２ａ，２２ｂの各付着部２７，２８がその外面側に設けられた付着部２３ｂに着脱自在に係合させる構造とされている。
【００７３】
従って、本実施形態においても前述と同様の効果を奏する。
【図面の簡単な説明】
【００７４】
【図１】本発明の第１の実施形態に係る使い捨てパンツの正面図である。
【図２】図１の使い捨てパンツの右破断部を破断して右前腹部を展開した状態を示す図である。
【図３】図２の使い捨てパンツの左破断部を破断して左前腹部を展開した状態を示す図である。
【図４】図３の使い捨てパンツの股部を展開した状態を示す図である。
【図５】図４の使い捨てパンツを反対側から見た図である。
【図６】図１におけるVI−VI線に沿った部分の断面図である。
【図７】図４におけるVII−VII線に沿った部分の断面図である。
【図８】使い捨てパンツの製造工程を説明するための図である。
【図９】第２の実施形態に係る使い捨てパンツの正面図である。
【図１０】第３の実施形態に係る使い捨てパンツの正面図である。
【符号の説明】
【００７５】
１  使い捨てパンツ、２  前腹部、２ａ  左前腹部、２ｂ  右前腹部、２ｃ  中前腹部、３  後背部、３ａ  腰回り部、３ｂ  臀部、４  股部、４ａ  前股部、４ｂ  後股部、４ｃ  中股部、１７ａ  左破断部、１７ｂ  右破断部、１７ｃ  開口部、１８  接合部分、１９ａ，１９ｂ  ウエスト用弾性部材、２０ａ，２０ｂ  脚用弾性部材、２１ａ，２１ｂ  ボディ用弾性部材、２２ａ，２２ｂ  付着片、２３，２３ａ，２３ｂ  付着部、２４  本体部、２５，２６  張出し部、２７，２８  付着部、３１  つまみ部、４０ａ，４０ｂ  脚用弾性部材、４１  トップシート、４２  バックシート、４３  吸収体、４４ａ，４４ｂ  起立部、４５ａ，４５ｂ  サイドシート、４６  弾性部材、５１  ウエスト用弾性部材、５２  ボディ用弾性部材、５３ａ，５３ｂ  脚用弾性部材、５７  内装シート、５８  外装シート
【図１】
2006141844.tif 000003
【図２】
2006141844.tif 000004
【図３】
2006141844.tif 000005
【図４】
2006141844.tif 000006
【図５】
2006141844.tif 000007
【図６】
2006141844.tif 000008
【図７】
2006141844.tif 000009
【図８】
2006141844.tif 000010
【図９】
2006141844.tif 000011
【図１０】
2006141844.tif 000012